(57)【要約】    【課題】  サービス利用者の利便性を向上させるとともに、サービス提供者の広告効果を増大させたサービス提供システムを提供すること。    【解決手段】  本発明では、サービス提供者とサービス利用者と両者の仲介を行うサービス仲介者のそれぞれのコンピュータを電子通信回線網を介して接続し、サービス仲介者のコンピュータは、予めサービス利用者に関する利用者データを記憶しておくとともに、サービス提供者から提供されたサービスの内容に関するサービスデータとそのサービスを提供する条件に関する条件データとを記憶しておき、サービス利用者からアクセスされた場合に利用者データと条件データとのマッチングを行い、マッチングしたサービスの利用を可能とするアイコンを含むページデータをサービス利用者のコンピュータに送信するにした。【選択図】      図１
2005174144.tif 000002
【特許請求の範囲】
【請求項１】
サービス提供者とサービス利用者と両者の仲介を行うサービス仲介者のそれぞれのコンピュータを電子通信回線網を介して接続し、
サービス仲介者のコンピュータは、
予めサービス利用者に関する利用者データを記憶しておくとともに、サービス提供者から提供されたサービスの内容に関するサービスデータとそのサービスを提供する条件に関する条件データとを記憶しておき、
サービス利用者からアクセスされた場合に利用者データと条件データとのマッチングを行い、
マッチングしたサービスの利用を可能とするアイコンを含むページデータをサービス利用者のコンピュータに送信することを特徴とするサービス提供システム。
【請求項２】
サービス仲介者のコンピュータは、サービス利用者がページデータのアイコンを介してサービス提供者にアクセスした場合に、サービス提供者のコンピュータに利用者データを送信することを特徴とする請求項１に記載のサービス提供システム。
【請求項３】
サービス仲介者のコンピュータは、サービス利用者のスケジュールデータを記憶しておき、サービス利用者がページデータのアイコンを介してサービス提供者にサービスの提供を申し込んだ場合に、そのサービスの提供の日時に関する日時データをサービス提供者のコンピュータから受信し、その日時データをスケジュールデータに追加することを特徴とする請求項１又は請求項２に記載のサービス提供システム。
【発明の詳細な説明】
【技術分野】
【０００１】
本発明は、電子通信回線網を利用したサービス提供システムに関するものである。
【背景技術】
【０００２】
近年、インターネットに代表される電子通信回線網を利用したサービスの提供が頻繁に行われている。
【０００３】
かかるサービスの提供を望む利用者は、検索サイトを利用して自分が望むサービスを提供しているサイトを検索したり、他のサイトに掲載された広告を利用することによって、サービスの提供者を見つけ、その後、そのサイトにアクセスすることによってそのサイトからのサービスの提供を受けている。
【０００４】
一方、サービスの提供者は、複数の検索サイトに登録をしたり、複数のサイトに広告を掲載してもらうことによって、自己のサービスの広告を行っていた。
【発明の開示】
【発明が解決しようとする課題】
【０００５】
ところが、利用者が検索サイトを利用してサービス提供サイトを検索する場合には、検索方法を熟知した上で、煩雑な操作を行わなければならなかった。
【０００６】
また、利用者が他のサイトに掲載された広告を利用してサービス提供サイトを見つける場合には、どのサイトにどのような広告がされているかを全く知らないでただ単に手探りで検索を行うことになるため、自分が望むサービス提供サイトを見つけるには、多大な時間を要するものであった。
【０００７】
しかも、上記したように煩雑な操作や時間を費やしてサービス提供サイトを見つけ出しても、そのサイトで利用条件を設定して利用を制限している場合には、そのサイトからサービスの提供が受けられないこともあった。
【０００８】
一方、サービス提供者側から見ても、複数の検索サイトへの登録や他のタイトへの広告掲載では、電子通信回線網を介して広範な広告となってしまい、サービスの提供を行うことが困難な者からのアクセスが数多く含まれてしまい、現実的な広告効果としてはあまり有効なものではなかった。
【０００９】
そこで、本発明者は、上記問題点に鑑みて、サービスの利用者と提供者とを円滑にマッチングさせるためのサービス提供システムを発明した。
【課題を解決するための手段】
【００１０】
すなわち、請求項１に係る本発明では、サービス提供者とサービス利用者と両者の仲介を行うサービス仲介者のそれぞれのコンピュータを電子通信回線網を介して接続し、サービス仲介者のコンピュータは、予めサービス利用者に関する利用者データを記憶しておくとともに、サービス提供者から提供されたサービスの内容に関するサービスデータとそのサービスを提供する条件に関する条件データとを記憶しておき、サービス利用者からアクセスされた場合に利用者データと条件データとのマッチングを行い、マッチングしたサービスの利用を可能とするアイコンを含むページデータをサービス利用者のコンピュータに送信することにした。
【００１１】
また、請求項２に係る本発明では、前記請求項１に係る本発明において、サービス仲介者のコンピュータは、サービス利用者がページデータのアイコンを介してサービス提供者にアクセスした場合に、サービス提供者のコンピュータに利用者データを送信することにした。
【００１２】
また、請求項３に係る本発明では、前記請求項１又は請求項２に係る本発明において、サービス仲介者のコンピュータは、サービス利用者のスケジュールデータを記憶しておき、サービス利用者がページデータのアイコンを介してサービス提供者にサービスの提供を申し込んだ場合に、そのサービスの提供の日時に関する日時データをサービス提供者のコンピュータから受信し、その日時データをスケジュールデータに追加することにした。
【発明の効果】
【００１３】
そして、本発明では、以下に記載する効果を奏する。
【００１４】
すなわち、請求項１に係る本発明では、サービス利用者からアクセスされた場合に利用者データと条件データとのマッチングを行い、マッチングしたサービスの利用を可能とするアイコンを含むページデータをサービス利用者のコンピュータに送信することにしている。
【００１５】
そのため、サービス利用者から見れば、実際にサービスの提供を受けられるサービス提供者を容易に知ることができ、迅速にそのサービス提供者にアクセスすることができる。
【００１６】
一方、サービス提供者から見れば、実際にサービスを利用してもらえるサービス利用者に対して直接的に自己のサービスを広告することができ、広告効果を増大させることができる。
【００１７】
また、請求項２に係る本発明では、サービス利用者がページデータのアイコンを介してサービス提供者にアクセスした場合に、サービス提供者のコンピュータに利用者データを送信することにしている。
【００１８】
そのため、サービス利用者から見れば、サービス提供者にアクセスした後に、サービス利用者に関する種々の事項を改めて入力するといった煩雑な操作が必要がなくなり、サービス提供者のサイトの使い勝手を向上させることができる。
【００１９】
一方、サービス提供者から見れば、サービス利用者に関する種々の事項について誤入力されるのを未然に防止することができ、サービスの提供を円滑に行うことができる。
【００２０】
また、請求項３に係る本発明では、サービス利用者のスケジュールデータを記憶しておき、サービス利用者がページデータのアイコンを介してサービス提供者にサービスの提供を申し込んだ場合に、そのサービスの提供の日時に関する日時データをサービス提供者のコンピュータから受信し、その日時データをスケジュールデータに追加することにしている。
【００２１】
そのため。サービス利用者から見れば、サービス提供の日時をスケジュールデータを用いて自動的に管理することができ、サービス提供者のサイトの使い勝手を向上させることができる。
【００２２】
一方、サービス提供者から見れば、スケジュールデータを通してサービス利用者にサービスの提供日時を通知することができ、サービスの利用を確実なものとすることができる。
【発明を実施するための最良の形態】
【００２３】
本発明に係るサービス提供システムは、サービス提供者とサービス利用者と両者の仲介を行うサービス仲介者のそれぞれのコンピュータを電子通信回線網を介して接続された環境において、サービス利用者がサービス提供者のサービスを利用する際にサービス仲介者のコンピュータが行うシステムである。
【００２４】
このサービス提供システムは、予めサービス利用者に関する利用者データを記憶しておくとともに、サービス提供者から提供されたサービスの内容に関するサービスデータとそのサービスを提供する条件に関する条件データとを記憶しておくステップと、サービス利用者からアクセスされた場合に利用者データと条件データとのマッチングを行うステップと、マッチングしたサービスの利用を可能とするアイコンを含むページデータをサービス利用者のコンピュータに送信するステップと、サービス利用者がページデータのアイコンを介してサービス提供者にアクセスした場合に、サービス提供者のコンピュータに利用者データを送信するステップと、サービス利用者のスケジュールデータを記憶しておき、サービス利用者がページデータのアイコンを介してサービス提供者にサービスの提供を申し込んだ場合に、そのサービスの提供の日時に関する日時データをサービス提供者のコンピュータから受信し、その日時データをスケジュールデータに追加するステップとを有している。
【００２５】
具体的に説明すると、本発明に係るサービス提供システムは、図１に示すように、サービスの提供を行うサービス提供者のコンピュータ１と、サービスの利用を望むサービス利用者のコンピュータ2,2と、サービス提供者及びサービス利用者の仲介を行うサービス仲介者のコンピュータ3,3とを電子通信回線網４を介して接続し、この電子通信回線網４を利用し以下のようにしてサービスの提供における仲介を行うようにしたものである（図２、図３参照）。
【００２６】
サービス仲介者は、ホームページを開設し、そのホームページにてサービス利用者やサービス提供者の登録を受付ける。
【００２７】
その登録に際して、サービス仲介者のコンピュータ３は、サービス利用者のコンピュータ２から氏名、住所、年齢、性別、職業、趣味、嗜好などのサービス利用者に関する情報を受付ける（図２（１））。
【００２８】
その後、サービス仲介者のコンピュータ３は、サービス利用者に対してＩＤ及びパスワードを発行する（図２（２））。
【００２９】
そして、サービス仲介者のコンピュータ３は、サービス利用者から受付けたサービス利用者に関する情報とＩＤやパスワードを利用者データとしてデータベース上に記憶する（図２（３））。
【００３０】
さらに、サービス仲介者のコンピュータ３は、サービス提供者のコンピュータ１からサービスの内容に関する情報とそのサービスを提供する条件、たとえば、地域制限、年齢制限、性別制限などを受付ける（図２（４））。
【００３１】
そして、サービス仲介者のコンピュータ３は、サービス提供者から受付けたサービスの内容に関する情報をサービスデータとしてデータベース上に記憶するとともに、そのサービスを提供する条件に関する情報を条件データとしてデータベース上に記憶する（図２（５））。
【００３２】
次に、サービス仲介者のコンピュータ３は、サービス利用者からのアクセスを受付ける。その際には、サービス利用者からＩＤ及びパスワードを受付ける（図３（１））。
【００３３】
そして、サービス仲介者のコンピュータ３は、サービス利用者から受付けたＩＤ及びパスワードに基づいてサービス利用者の承認を行う（図３（２））。具体的には、サービス仲介者のコンピュータ３は、サービス利用者のコンピュータ２から送信されたＩＤ及びパスワードとデータベースに記憶した利用者データのＩＤ及びパスワードが一致するか否かを照合する。
【００３４】
その結果、サービス利用者の承認が行えない場合、すなわち、サービス利用者のコンピュータ２から送信されたＩＤ及びパスワードとデータベースに記憶した利用者データのＩＤ及びパスワードとが不一致の場合には、その旨をサービス利用者のコンピュータ２に送信する。
【００３５】
一方、サービス利用者の承認が行えた場合、すなわち、サービス利用者のコンピュータ２から送信されたＩＤ及びパスワードとデータベースに記憶した利用者データのＩＤ及びパスワードとが一致する場合には、そのサービス利用者の利用者データと全てのサービス提供者の条件データとのマッチングを行う（図３（３））。具体的には、データベース上の利用者データと条件データとを比較し、条件データの範囲内の場合だけそのサービスデータを記憶する。たとえば、利用者データの年齢が２４歳で、ある条件データの年齢制限が１６歳〜２０歳の場合には、そのサービス提供者のサービスデータの記憶を行わず、一方、ある条件データの年齢制限が２０歳〜４０歳の場合には、そのサービス提供者のサービスデータの記憶を行う。
【００３６】
次に、サービス仲介者のコンピュータ３は、利用者データと条件データとがマッチングしたサービス提供者のサービスデータに基づいてそのサービスの利用を可能とするアイコンを含むページデータを作成し、そのページデータをサービス利用者のコンピュータ２に送信する（図３（４））。
【００３７】
そして、このページデータによって表示されたアイコンをサービス利用者が操作すると、サービス利用者のコンピュータ２からサービス仲介者のコンピュータ３にその旨が送信されるとともに（図３（５））、サービス提供者のコンピュータ１にアクセスされる（図３（６））。
【００３８】
その際に、サービス仲介者のコンピュータ３は、アイコンを操作したサービス利用者の利用者データをサービス提供者のコンピュータ１に送信する（図３（７））。
【００３９】
これを受けてサービス提供者のコンピュータ１は、サービスの利用に際して必要なサービス利用者の氏名や住所などの個別事項を既に記載したページデータを作成し、サービス利用者のコンピュータ２に送信する（図３（８））。
【００４０】
その後、サービス利用者がサービス提供者からサービスの提供を受けることを希望する場合には、サービス利用者のコンピュータ２からサービス提供者のコンピュータ１にサービス利用の申込を行う（図３（９））。
【００４１】
これを受けてサービス提供者のコンピュータ１は、たとえば、ウエブショッピングサービスの場合には商品の発送日時、店舗での飲食サービスの提供の場合には予約日時などのサービスの提供の日時に関する日時データをサービス仲介者のコンピュータ３に送信する（図３（１０））。
【００４２】
そして、サービス仲介者のコンピュータ３は、サービス提供者のコンピュータ１から送信された日時データを予めデータベース上に記憶しておいた各サービス利用者のスケジュールデータに追加し（図３（１１））、そのスケジュールデータをサービス利用者のコンピュータ２に送信する（図３（１２））。
【図面の簡単な説明】
【００４３】
【図１】本発明に係るサービス提供システムのハードウェア構成を示す説明図。
【図２】サービス提供システムの説明図。
【図３】サービス提供システムの説明図。
【符号の説明】
【００４４】
１  サービス提供者のコンピュータ
２  サービス利用者のコンピュータ
３  サービス仲介者のコンピュータ
４  電子通信回線網
【図１】
2005174144.tif 000003
【図２】
2005174144.tif 000004
【図３】
2005174144.tif 000005